(57)【要約】【課題】電装品等に異常状態が生じた時に、電装品の駆動を停止させることで、安全性を保証するようにした電装品内蔵の歯科治療用マウスピースおよびそのマウスピース成形基材を提供する。【解決手段】電装品５（Ａ），５（Ｂ）を気密若しくは水密状態で内蔵する電装品内蔵の歯科治療用マウスピース１２である。電装品５（Ａ），５（Ｂ）またはマウスピース１２の異常状態を検出する検出手段４０と、この検出手段４０の異常状態検出時に、電装品５（Ａ），５（Ｂ）の駆動を停止させる駆動停止手段４１とを備えている。【選択図】図１
2013034741.tif 000002
【特許請求の範囲】
【請求項１】
電装品を気密若しくは水密状態で内蔵する電装品内蔵の歯科治療用マウスピースにおいて、
前記電装品またはマウスピースの異常状態を検出する検出手段と、この検出手段の異常状態検出時に、電装品の駆動を停止させる駆動停止手段とを備えたことを特徴とする電装品内蔵の歯科治療用マウスピース。
【請求項２】
前記検出手段は、前記電装品の異常電流値を検出するものであることを特徴とする請求項１に記載の電装品内蔵の歯科治療用マウスピース。
【請求項３】
前記検出手段は、前記電装品の異常電圧値を検出するものであることを特徴とする請求項１に記載の電装品内蔵の歯科治療用マウスピース。
【請求項４】
前記検出手段は、前記電装品を収納する収納空間の異常温度を検出するものであることを特徴とする請求項１に記載の電装品内蔵の歯科治療用マウスピース。
【請求項５】
前記検出手段は、前記電装品を収納する収納空間の異常水分若しくは異常湿度を検出するものであることを特徴とする請求項１に記載の電装品内蔵の歯科治療用マウスピース。
【請求項６】
前記検出手段は、前記電装品を収納する収納空間の異常気圧を検出するものであることを特徴とする請求項１に記載の電装品内蔵の歯科治療用マウスピース。
【請求項７】
前記検出手段は、前記電装品を収納する収納空間の異常ガス濃度を検出するものであることを特徴とする請求項１に記載の電装品内蔵の歯科治療用マウスピース。
【請求項８】
前記駆動停止手段は、検出手段の検出信号による回路遮断であることを特徴とする請求項１に記載の電装品内蔵の歯科治療用マウスピース。
【請求項９】
前記駆動停止手段は、回路素子の形状変化による回路遮断であることを特徴とする請求項１に記載の電装品内蔵の歯科治療用マウスピース。
【請求項１０】
前記駆動停止手段は、回路素子の破損による回路遮断であることを特徴とする請求項１に記載の電装品内蔵の歯科治療用マウスピース。
【請求項１１】
請求項１〜１０のいずれか一項のマウスピースを成形するための電装品内蔵のマウスピース成形基材であって、
前記電装品を内蔵する熱軟化性樹脂シート体を備え、この熱軟化性樹脂シート体を使用者の歯列に合わせて立体成形することで前記マウスピースに成形することを特徴とする歯科治療用マウスピース成形基材。
【発明の詳細な説明】
【技術分野】
【０００１】
本発明は、電装品内蔵の歯科治療用マウスピースおよびそのマウスピース成形基材に関する。
【背景技術】
【０００２】
マウスピースは、スポーツ時における歯の防護用（マウスガード）として普及しているが、近年では、歯科治療用マウスピースとして、特定波長の光で歯列の漂白（ホワイトニング）治療を行うマウスピース（特許文献１参照）が提案されている。また、歯列への振動付与により歯科矯正治療効果を促進するマウスピース（特許文献２参照）も提案されている。
【０００３】
そして、漂白治療用のマウスピースでは、発光素子、その制御回路（制御素子）、必要に応じて電源用電池や電源用スイッチ等のような電装品をマウスピースに内蔵（組み込む）している。また、矯正治療用のマウスピースでは、振動子、その制御回路（制御素子）、必要に応じて電源用電池、電源用スイッチ等のような電装品をマウスピースに内蔵している。
【先行技術文献】
【特許文献】
【０００４】
【特許文献１】特開２００５−３４２０７２号公報
【特許文献２】特開２００７−２６０１５８号公報
【発明の概要】
【発明が解決しようとする課題】
【０００５】
しかしながら、電装品をマウスピースに内蔵する場合、電装品はマウスピースとともに口腔内に入るものであるから、マウスピースに電装品を気密若しくは水密状態で内蔵することで、安全性を保証しなければならない。
【０００６】
それと同時に、電装品またはマウスピースの異常状態を検出して、この検出手段の異常状態検出時に、電装品の駆動を停止させることで、マウスピースを使用できないようにして、安全性を保証しなければならない。
【０００７】
ここで、電装品自体の異常状態としては、例えば、発光素子若しくは振動子、これらの制御回路がショートしたような場合であり、マウスピースの異常状態としては、例えばマウスピースに亀裂等が生じて水分（唾液等）が電装品に浸入したような場合である。
【０００８】
これらのことは、電装品を内蔵し、使用者の歯列に合わせてマウスピースに成形する前の半完成品であるマウスピース成形基材でも同様である。
【０００９】
本発明は、特に後者の安全性を保証するためになされたもので、電装品等に異常状態が生じた時に、電装品の駆動を停止させることで、安全性を保証するようにした電装品内蔵の歯科治療用マウスピースおよびそのマウスピース成形基材を提供することを目的とするものである。
【課題を解決するための手段】
【００１０】
前記課題を解決するために、本発明は、電装品を気密若しくは水密状態で内蔵する電装品内蔵の歯科治療用マウスピースにおいて、前記電装品またはマウスピースの異常状態を検出する検出手段と、この検出手段の異常状態検出時に、電装品の駆動を停止させる駆動停止手段とを備えたことを特徴とする電装品内蔵の歯科治療用マウスピースを提供するものである。
【００１１】
前記検出手段は、前記電装品の異常電流値を検出するものである構成とすることができる。
【００１２】
前記検出手段は、前記電装品の異常電圧値を検出するものである構成とすることができる。
【００１３】
前記検出手段は、前記電装品を収納する収納空間の異常温度を検出するものである構成とすることができる。
【００１４】
前記検出手段は、前記電装品を収納する収納空間の異常水分若しくは異常湿度を検出するものである構成とすることができる。
【００１５】
前記検出手段は、前記電装品を収納する収納空間の異常気圧を検出するものである構成とすることができる。
【００１６】
前記検出手段は、前記電装品を収納する収納空間の異常ガス濃度を検出するものである構成とすることができる。
【００１７】
前記駆動停止手段は、検出手段の検出信号による回路遮断である構成とすることができる。
【００１８】
前記駆動停止手段は、回路素子の形状変化による回路遮断である構成とすることができる。
【００１９】
前記駆動停止手段は、回路素子の破損による回路遮断である構成とすることができる。
【００２０】
前記マウスピースを成形するための電装品内蔵のマウスピース成形基材であって、前記電装品を内蔵する熱軟化性樹脂シート体を備え、この熱軟化性樹脂シート体を使用者の歯列に合わせて立体成形することで前記マウスピースに成形する構成とすることができる。
【発明の効果】
【００２１】
本発明によれば、検出手段で電装品またはマウスピース（マウスピース成形基材も含む。以下同様。）の異常状態を検出した時に、駆動停止手段で電装品の駆動を停止させる。これにより、マウスピースでは、スイッチをオンしても電装品が駆動しないので、使用者にマウスピースを使用できないことを知らしめることで、安全性が保証されるようになる。また、マウスピース成形基材では、マウスピースに成形する前に、不良品のマウスピース成形基材が予め分かるので、この不良品を取り除くことで、安全性が保証されるようになる。
【図面の簡単な説明】
【００２２】
【図１】本発明の実施形態の電装品内蔵の歯科治療用マウスピースであり、（ａ）は斜視図、（ｂ）（ｃ）は使用者の歯列に嵌めたときの断面図である。
【図２】（ａ）は歯列の斜視図、（ｂ）は矯正治療用の振動子を含む電装品を実装したフレキシブル基板の正面図、（ｃ）は漂白治療用の発光素子を含む電装品を実装したフレキシブル基板の正面図である。
【図３】本発明に係るマウスピース成形基材を立体形状に予備成形する成形装置の斜視図である。
【図４】マウスピース用として市販されている熱軟化性樹脂シート体の一例であり、（ａ）は平面図、（ｂ）は側面図である。
【図５】（ａ）〜（ｃ）は、２枚の樹脂シート体を用いてマウスピースを成形する工程図である。
【図６】マウスピース成形基材であり、（ａ）は、電装品が実装されたフレキシブル基板を内蔵した要部破断の平面図、（ｂ）は、（ａ）のＩ−Ｉ線に相当する断面図である。
【図７】マウスピース成形基材であり、（ａ）は、電装品が実装されたフレキシブル基板を内蔵する前の分解側面図、（ｂ）は、図６（ａ）のＩ−Ｉ線に相当する断面図である。
【図８】第１例の汎用歯型模型を用いて、マウスピース成形基材を立体形状に予備成形する要領であり、（ａ）は汎用歯型模型の斜視図、（ｂ）は立体形状に予備成形されたマウスピース成形基材の斜視図、（ｃ）は（ｂ）のＩＩ−ＩＩ線に相当する断面図である。
【図９】第２例の汎用歯型模型を用いて、マウスピース成形基材を立体形状に予備成形する要領であり、（ａ）は汎用歯型模型の斜視図、（ｂ）は立体形状に予備成形されたマウスピース成形基材の斜視図、（ｃ）は（ｂ）のＩＩＩ−ＩＩＩ線に相当する断面図である。
【図１０】（ａ）は電装品内蔵の歯科治療用マウスピースの概念図、（ｂ）は回路構成図である。
【図１１】（ａ）（ｂ）はそれぞれ回路構成図である。
【図１２】（ａ）（ｂ）はそれぞれ回路構成図である。
【発明を実施するための形態】
【００２３】
以下、本発明を実施するための形態について、図面を参照しながら詳細に説明する。最初に、電装品内蔵のマウスピース１２と、電装品内蔵の歯科治療用マウスピース成形基材２（Ａ）〜（Ｄ）とを説明する。
【００２４】
図１は、電装品内蔵の歯科治療用マウスピース１２であり、（ａ）は斜視図、（ｂ）（ｃ）は使用者の歯列１４に嵌めたときの断面図である。
【００２５】
図１（ａ）のように、電装品内蔵の歯科治療用マウスピース１２は、平面視で歯列１４〔図２（ａ）を参照〕の湾曲に沿った略円弧状（アーチ状）に合成樹脂で成形されている。そして、後述する歯列１４の矯正治療用の振動子７（Ａ）または歯列１４の漂白治療用の発光素子７（Ｂ）を少なくとも含む電装品５（Ａ）または５（Ｂ）を、フレキシブル基板６に実装した状態で気密若しくは水密状態で内蔵している。
【００２６】
このマウスピース１２は、図１（ｂ）のように、使用者の歯列１４に嵌めて、歯列１４に振動または光を照射することにより、歯列矯正治療または歯列漂白治療を行うものである。
【００２７】
フレキシブル基板６は、薄くて柔軟性を有するプリント配線用の基板である。図２（ｂ）の歯列矯正治療用の電装品５（Ａ）が実装されたフレキシブル基板６には、電装品５（Ａ）として、歯列矯正治療用の振動子（振動モータ）７（Ａ）が実装されている。また、振動子７（Ａ）の制御回路（制御素子）８と、ボタン電池のような電源用電池９と、プッシュ式の電源用スイッチ１０とが適所に実装されている。
【００２８】
また、図２（ｃ）の歯列漂白治療用の電装品５（Ｂ）が実装されたフレキシブル基板６には、電装品５（Ｂ）として、歯列漂白治療用の発光素子７（Ｂ）が実装されている。また、発光素子７（Ｂ）の制御回路（制御素子）８と、ボタン電池のような電源用電池９と、電源用スイッチ１０とが適所に実装されている。
【００２９】
フレキシブル基板６に、振動子７（Ａ）または発光素子７（Ｂ）のみを実装することもできる。そして、これらの電線（コード）をマウスピース１２から口腔外に引き出し、口腔外において、制御回路（制御素子）８、電源用電池９、電源用スイッチ１０に電気的に接続することも可能である。
【００３０】
電装品内蔵の歯科治療用マウスピース１２は、図３に示す市販の成形装置２０を用いて、歯科医師等が成形することができる。
【００３１】
この成形装置２０は、使用者の採取歯型模型３３を搭載するステージ２１を備えている。また、このステージ２１に形成された多数の吸引孔２２から吸引を行うポンプなどを内蔵する本体２３を備えている。さらに、この本体２３の上に立設される支柱２４によって昇降自在であり、後述する熱軟化性樹脂シート体１やマウスピース成形基材２（Ａ）〜２（Ｄ）を挟み込む上下一対のシート固定具２５，２６と、支柱２４の上に搭載される電熱器２７を備えて構成される。
【００３２】
マウスピース１２の成形材料としては、マウスピース用として市販されている図４の円板状の熱軟化性樹脂シート体１を用いることができる。この熱軟化性樹脂シート体１は、外径Ｄが約１２５ｍｍ、厚みｔが約１〜６ｍｍ程度のサイズが一般的である。
【００３３】
熱軟化性樹脂シート体１の材料としては、マウスピース（またはマウスガード）の材料として広く用いられ、衛生面の安全性が保証された材料が用いられる。例えば、高分子材料であるＥＶＡ（エチレン酢酸ビニル樹脂）シートは、歯や歯肉へのアレルギー等の影響を抑えることができるので好ましい。
【００３４】
この熱軟化性樹脂シート体１を用いてマウスピース１２を成形するには、図３のように、使用者の採取歯型模型３３を成形装置２０のステージ２１の上に搭載する。
【００３５】
そして、シート固定具２５，２６に１枚目の樹脂シート体１を挟み込み、シート固定具２５，２６とともに１枚目の樹脂シート体１を上昇させて、電熱器２７で軟化するまで加熱する。軟化するとシート固定具２５，２６とともに１枚目の樹脂シート体１を下降させて、採取歯型模型３３に軟化した１枚目の樹脂シート体１を徐々に被せて行く。このとき、吸引孔２２から吸引が行われることで、その気流によって１枚目の樹脂シート体１が採取歯型模型３３に密着して、１枚目の樹脂シート体１に採取歯型模型３３の形状が型付けされる。
【００３６】
このようにして成形を行うことで、図５（ａ）のように、１枚目の樹脂シート体１は、型付けされた内側ピース１２Ａとして完成する。
【００３７】
次に、図５（ｂ）のように、内側ピース１２Ａが熱いうちに、電装品５（Ａ）または５（Ｂ）を実装したフレキシブル基板６を内側ピース１２Ａに貼り付ける。
【００３８】
さらに、フレキシブル基板６を貼り付けた内側ピース１２Ａの上に、前述と同様にして、シート固定具２５，２６を用いて２枚目の樹脂シート体１を被せて吸引する。これによって、２枚目の樹脂シート体１が内側ピース１２Ａに密着して、２枚目の樹脂シート体に内側ピース１２Ａの形状が型付けされることで、外側ピース１２Ｂが完成する。
【００３９】
これら内側ピース（１枚目の樹脂シート体１）１２Ａおよび外側ピース（２枚目の樹脂シート体１）１２Ｂによって、電装品５（Ａ）または５（Ｂ）とともにフレキシブル基板６が気密若しくは水密状態で内蔵されるようになる。
【００４０】
その後、フランジ部分等の余分箇所を硬化後に切断すれば、完成品としてのマウスピース１２の形状となる。
【００４１】
前述のマウスピース１２は、電装品内蔵の歯科治療用マウスピース成形基材２（Ａ）〜（Ｄ）、すなわち、電装品５（Ａ）または５（Ｂ）を内蔵する熱軟化性樹脂シート体１を使用者の歯列１４に合わせて立体成形することでも成形することができる。
【００４２】
このような電装品内蔵の歯科治療用マウスピース成形基材２（Ａ）〜（Ｄ）を必要とする理由は、電装品の内蔵作業は、電装品の取り扱いに慣れた製造者若しくは販売者において行うことができるから、安全性が保証されるようになるからである。このマウスピース成形基材２（Ａ）〜（Ｄ）を用いれば、歯科医師等は、従来とほぼ同様の工程で、電装品が所定の治療位置に正確に配置され、かつ歯列にフィットして安定に装着できる歯科治療用マウスピース１２を成形することができる利点がある。
【００４３】
図６はシート状の歯科治療用マウスピース成形基材２（Ａ）であり、（ａ）は、電装品５（Ａ）または５（Ｂ）が実装されたフレキシブル基板６を内蔵した要部破断の平面図である。（ｂ）は（ａ）のＩ−Ｉ線に相当する断面図である。
【００４４】
シート状の歯科治療用マウスピース成形基材２（Ａ）は、電装品５（Ａ）または５（Ｂ）を実装したフレキシブル基板６を気密若しくは水密状態で、熱軟化性樹脂シート体１にインサートモールドで内蔵している。熱軟化性樹脂シート体１の材料は前述のＥＶＡであるが、市販のシートを用いるのではなく、インサートモールド装置の成形用型を用いて、市販のサイズのシート形状に成形したものである。
【００４５】
図７はシート状の歯科治療用マウスピース成形基材２（Ｂ）であり、（ａ）は、電装品５（Ａ）または５（Ｂ）が実装されたフレキシブル基板６を内蔵する前の分解側面図、（ｂ）は図６（ａ）のＩ−Ｉ線に相当する断面図である。
【００４６】
シート状の歯科治療用マウスピース成形基材２（Ｂ）は、電装品５（Ａ）または５（Ｂ）を実装したフレキシブル基板６を２枚の熱軟化性樹脂シート体１，１の間に気密若しくは水密状態で挟んで内蔵している。
【００４７】
このシート状の歯科治療用マウスピース成形基材２（Ａ）または２（Ｂ）を立体形状に予備成形して、歯科治療用マウスピース成形基材２（Ｃ），２（Ｄ）を作製することもできる。
【００４８】
図８（ｂ）は、図８（ａ）の汎用歯型模型１３（Ａ）で立体形状に予備成形された歯科治療用マウスピース成形基材２（Ｃ）であり、図８（ｃ）は、図８（ｂ）のＩＩ−ＩＩ線に相当する断面図である。図９（ｂ）は、図９（ａ）の汎用歯型模型１３（Ｂ）で立体形状に予備成形された歯科治療用マウスピース成形基材２（Ｄ）であり、図９（ｃ）は、図９（ｂ）のＩＩＩ−ＩＩＩ線断面図である。
【００４９】
ここで、汎用歯型模型１３（Ａ），１３（Ｂ）とは、歯科医師等が使用者の歯列１４から作製した精密な採取歯型模型３３ではなく、どのような歯列１４にも嵌め込むことが可能なように作製した疑似的な歯型模型のことである。
【００５０】
この汎用歯型模型１３（Ａ）または１３（Ｂ）を成形装置２０のステージ２１上に搭載し、前述の採取歯型模型３３の場合と同様にして、歯科治療用マウスピース成形基材２（Ｃ）、または歯科治療用マウスピース成形基材２（Ｄ）を作製することができる。
【００５１】
ここで、歯科治療用マウスピース成形基材２（Ａ）〜２（Ｄ）は、使用者の歯列１４に合った完成品としてのマウスピース１２の形状に本成形（最終）する必要がある。
【００５２】
この本成形には、採取歯型模型３３を成形装置２０のステージ２１上に搭載し、前述の採取歯型模型３３の場合と同様にして、完成品としてのマウスピース１２の形状に本成形（最終）することができる。
【００５３】
前記したマウスピース１２と歯科治療用マウスピース成形基材２（Ａ）〜２（Ｄ）は、電装品５（Ａ）または５（Ｂ）をフレキシブル基板６に実装した状態で気密若しくは水密状態で内蔵している点で共通している。
【００５４】
そして、マウスピース１２は、口腔内での使用中に電装品５（Ａ）または５（Ｂ）に異常状態が生じた時に、電装品５（Ａ）または５（Ｂ）の駆動を停止させることで、安全性を保証することができる。
【００５５】
また、歯科治療用マウスピース成形基材２（Ａ）〜２（Ｄ）は、そのまま口腔内に入れるものではないが、完成品としてのマウスピース１２の形状に本成形する前の水没検査等の段階で、安全性を保証することができる。
【００５６】
そこで、電装品５（Ａ）または５（Ｂ）、マウスピース１２または歯科治療用マウスピース成形基材２（Ａ）〜２（Ｄ）に異常状態が生じた時に、電装品５（Ａ）または５（Ｂ）の駆動を停止させることで、安全性を保証する手段を次に説明する。
【００５７】
図１０（ａ）に概念図を示すように、マウスピース１２〔歯科治療用マウスピース成形基材２（Ａ）〜２（Ｄ）も含む。以下同様。）内には、電装品５（Ａ）または５（Ｂ）やマウスピース１２の異常状態を検出する検出手段４０を備えている。また、この検出手段４０の異常状態検出時に、電装品の駆動を停止させる駆動停止手段４１を備えている。
【００５８】
ここで、電装品５（Ａ）または５（Ｂ）自体の異常状態としては、例えば、振動子７（Ａ）または発光素子７（Ｂ）やこれらの制御回路８がショートしたような場合である。また、マウスピース１２の異常状態としては、例えばマウスピース１２に亀裂等が生じて水分（唾液等）が電装品５（Ａ）または５（Ｂ）に浸入したような場合である。
【００５９】
そして、検出手段４０で電装品５（Ａ）または５（Ｂ）やマウスピース１２の異常状態を検出した時に、駆動停止手段４１で電装品５（Ａ）または５（Ｂ）の駆動を停止させる。電装品５（Ａ）の場合は振動子７（Ａ）の駆動停止であり、電装品５（Ｂ）の場合は発光素子７（Ｂ）の発光停止である。
【００６０】
これにより、マウスピース１２では、スイッチ１０をオンしても電装品５（Ａ）または５（Ｂ）が駆動しないので、使用者にマウスピース１２を使用できないことを知らしめることで、安全性が保証されるようになる。
【００６１】
また、マウスピース成形基材２（Ａ）〜２（Ｄ）では、マウスピース１２に成形する前に、不良品のマウスピース成形基材２（Ａ）〜２（Ｄ）が予め分かるので、この不良品を取り除くことで、安全性が保証されるようになる。
【００６２】
次に、検出手段４０と駆動停止手段４１の具体例を説明する。第１に、電装品５（Ａ）または５（Ｂ）の異常電流値を検出する検出手段４０として、図１０（ｂ）のように、振動子７（Ａ）または発光素子７（Ｂ）の駆動回路に、電流計（電流センサ）４０Ａを設ける。また、駆動停止手段４１として、スイッチング素子４１Ａを設ける。
【００６３】
電装品５（Ａ）または５（Ｂ）の異常電流値は、電装品（機器）５（Ａ）または５（Ｂ）自体のショートにより生じる（機器異常）。また、マウスピース（外殻）１２の亀裂等から浸入した水分（唾液等）で電装品５（Ａ）または５（Ｂ）がショートした場合に（外殻異常）、電流値が異常に変動（電流値が急激に上昇）することにより生じる。
【００６４】
そこで、この異常電流値（過電流）を電流計４０Ａで検出すると、この検出信号がベースに印加されることでスイッチング素子４１Ａがオフするので、振動子７（Ａ）または発光素子７（Ｂ）の駆動が停止する。
【００６５】
また、電装品５（Ａ），５（Ｂ）の異常電流値を検出する検出手段４０としては、図１１（ａ）のようなヒューズ４０Ｂもあり、このヒューズ４０Ｂを振動子７（Ａ）または発光素子７（Ｂ）の駆動回路に設ける。ヒューズ４０Ｂとしては、例えば、Ｂｏｕｒｎｓ社製の品番ＭＦ−ＲＸ０１８／２５０−０が適当である。
【００６６】
そして、異常電流値をヒューズ４０Ｂで検出すると、ヒューズ４０Ｂが破断（溶断）して駆動回路を遮断するので、振動子７（Ａ）または発光素子７（Ｂ）の駆動が停止する。なお、ヒューズ４０Ｂは、電装品の駆動を停止させる駆動停止手段４１を兼用することになる。
【００６７】
さらに、図１２（ｂ）のように、駆動回路内で電圧差の大きい回路部分（例えば電源とグランド）４２を、フレキシブル基板６の浸水する可能性の高い部分（例えば、基板の外周縁）を近距離で併走させる。これにより、マウスピース（外殻）１２の亀裂等から浸入した水分（唾液等）で回路部分４０Ｉがショートした場合に（外殻異常）、電流値が異常に変動（電流値が急激に上昇）する。この回路部分４０Ｉは、フレキシブル基板６の外周縁に位置するから、水分の浸入でショートしやすく、ショート時の異常電流値を検出しやすい。この回路部分４０Ｉが異常電流値を検出する検出手段４０となる。また、駆動回路にヒューズ４０Ｂを設ける。
【００６８】
そして、異常電流値を回路部分４０Ｉで検出すると、ヒューズ４０Ｂが破断（溶断）して駆動回路を遮断するので、振動子７（Ａ）または発光素子７（Ｂ）の駆動が停止する。なお、ヒューズ４０Ｂは、電装品の駆動を停止させる駆動停止手段４１となる。
【００６９】
第２に、電装品５（Ａ）または５（Ｂ）の異常電圧値を検出する検出手段４０として、図１０（ｂ）のように、振動子７（Ａ）または発光素子７（Ｂ）の駆動回路に、電圧計（電圧センサ）４０Ｃを設ける。また、駆動停止手段４１として、スイッチング素子４１Ａを設ける。
【００７０】
電装品５（Ａ）または５（Ｂ）の異常電圧値は、電装品（機器）５（Ａ）または５（Ｂ）自体のショートにより（機器異常）、電圧値が異常に変動（電圧値が急激に下降）することにより生じる。また、マウスピース（外殻）１２の亀裂等から浸入した水分（唾液等）で電装品５（Ａ）または５（Ｂ）がショートした場合に（外殻異常）、電圧値が異常に変動（電圧値が急激に下降）することにより生じる。
【００７１】
そこで、この異常電圧値を電圧計４０Ｃで検出すると、この検出信号がベースに印加されることでスイッチング素子４１Ａがオフするので、振動子７（Ａ）または発光素子７（Ｂ）の駆動が停止する。
【００７２】
第３に、電装品５（Ａ），５（Ｂ）を収納する収納空間１２ａ〔図１（ｃ）を参照〕の異常温度を検出する検出手段４０として、図１１（ｂ）のように、温度計（温度センサ）４０Ｄを設ける。また、駆動停止手段４１として、スイッチング素子４１Ａを設ける。
【００７３】
電装品５（Ａ）または５（Ｂ）の異常温度は、電装品（機器）５（Ａ）または５（Ｂ）自体のショート等による発熱（機器異常）により、温度が異常に変動（温度が急激に上昇）することにより生じる。また、マウスピース（外殻）１２の亀裂等から浸入した水分（唾液等）で電装品５（Ａ）または５（Ｂ）がショート等で発熱した場合に（外殻異常）、温度が異常に変動（温度が急激に上昇）することにより生じる。
【００７４】
そこで、この異常温度を温度計４０Ｄで検出すると、この検出信号がベースに印加されることでスイッチング素子４１Ａがオフするので、振動子７（Ａ）または発光素子７（Ｂ）の駆動が停止する。
【００７５】
温度計４０Ｄ以外に、サーミスタ、熱電対、バイメタルを用いることもできる。サーミスタと熱電対は、異常温度を検出すると出力電圧が変化し、この出力電圧の変化でスイッチング素子４１Ａをオフすることで回路を遮断することができる。バイメタルは、異常温度を検出すると形状が変化し、この形状の変化でスイッチングオフすることで回路を遮断することができる。
【００７６】
サーミスタとしては、例えば、芝浦電子社製の品番ＰＢ−３６が適当である。熱電対としては、例えば、石川産業社製の品番３０４−Ｊ−０１０が適当である。バイメタルとしては、例えば、富士バイメタル社製の品番Ｎo．３００５が適当である。
【００７７】
第４に、電装品５（Ａ）または５（Ｂ）を収納する収納空間１２ａの異常水分若しくは異常湿度を検出する検出手段４０として、図１１（ｂ）のように、水分計（水分センサ）若しくは湿度計（湿度センサ）４０Ｅを設ける。
【００７８】
異常水分若しくは異常湿度は、マウスピース（外殻）１２の亀裂等から水分（唾液等）が浸入した場合に（外殻異常）、水分若しくは湿度が異常に変動（水分量若しくは湿度が急激に上昇）することにより生じる。
【００７９】
そこで、この異常水分若しくは異常湿度を水分計若しくは湿度計４０Ｅで検出すると、この検出信号がベースに印加されることでスイッチング素子４１Ａがオフするので、振動子７（Ａ）または発光素子７（Ｂ）の駆動が停止する。
【００８０】
第５に、電装品５（Ａ）または５（Ｂ）を収納する収納空間１２ａの異常気圧を検出する検出手段４０として、図１１（ｂ）のように、気圧計（気圧センサ）４０Ｆを設ける。
【００８１】
異常気圧は、マウスピース（外殻）１２の収納空間の気圧を予め高めておき、マウスピース１２の亀裂等から収納空間１２ａの気圧が抜けた場合に（外殻異常）、気圧が異常に変動（気圧が急激に下降）することにより生じる。
【００８２】
そこで、この異常気圧を気圧計４０Ｆで検出すると、この検出信号がベースに印加されることでスイッチング素子４１Ａがオフするので、振動子７（Ａ）または発光素子７（Ｂ）の駆動が停止する。
【００８３】
第６に、電装品５（Ａ）または５（Ｂ）を収納する収納空間１２ａの異常ガス濃度を検出する検出手段４０として、図１１（ｂ）のように、ガス濃度計（ガス濃度センサ）４０Ｇを設ける。
【００８４】
異常ガス濃度は、マウスピース（外殻）１２の収納空間１２ａに予め不活性ガスを充填しておき、マウスピース１２の亀裂等から収納空間１２ａの不活性ガスが抜けた場合に（外殻異常）、ガス濃度が異常に変動（ガス濃度が急激に低下）することにより生じる。
【００８５】
そこで、この異常ガス濃度をガス濃度計４０Ｇで検出すると、この検出信号がベースに印加されることでスイッチング素子４１Ａがオフするので、振動子７（Ａ）または発光素子７（Ｂ）の駆動が停止する。
【００８６】
第７に、駆動停止手段４１は、検出手段４０の検出信号による回路遮断である構成とすることができる。これによれば、検出手段４０から検出信号が入ると、駆動停止手段４１で即時に回路を遮断することで電装品５（Ａ）または５（Ｂ）の駆動を停止させることができる。この駆動停止手段としては、図１１（ｂ）のように、例えばスイッチング素子（スイッチングトランジスタ）４１Ａがある。なお、回路の遮断状態を保持する保持（ラッチ）回路を設けることが好ましい。
【００８７】
第８に、駆動停止手段４１は、回路素子の形状変化による回路遮断である構成とすることができる。これによれば、形状変化する回路素子として、例えば異常温度を検出する検出手段４０としてのバイメタル（回路素子）は、異常温度を検出したときに反り返って（形状が変化して）回路を遮断することで電装品５（Ａ）または５（Ｂ）の駆動を停止させることができる。
【００８８】
また、異常水分若しくは異常湿度を検出する検出手段４０として、図１２（ａ）のように、水分若しくは湿度に応じて伸縮する吸水性ゲル４０Ｈに、回路停止手段４１として、スライドスイッチ４１Ｂを設置する。この吸水性ゲル４０Ｈは、水分若しくは湿度が少ない乾燥時は、スライドスイッチ４１Ｂがオン状態である。そして、異常水分若しくは異常湿度を検出したときに膨潤して（形状が変化して）、矢印側の図のように、スイッチ４１Ｂが離れて回路を遮断することで電装品５（Ａ）または５（Ｂ）の駆動を停止させることができる。
【００８９】
吸水性ゲル４０Ｈとしては、例えば、住友精化社製の吸水性樹脂  ＳＳゲルが適当である。なお、回路の遮断状態を保持する保持機構若しくは保持（ラッチ）回路を設けることが好ましい。
【００９０】
第９に、駆動停止手段４１は、回路素子の破損による回路遮断である構成とすることができる。これによれば、破損する回路素子として、例えば異常電流値を検出する検出手段としてのヒューズ（回路素子）４０Ｂは、異常電流値を検出したときに破断（溶断）して回路を遮断することで、電装品５（Ａ）または５（Ｂ）の駆動を停止させることができる。
【００９１】
以上のように、本発明に係る電装品内蔵の歯科治療用マウスピースは、電装品を気密若しくは水密状態で内蔵する電装品内蔵の歯科治療用マウスピースにおいて、前記電装品またはマウスピースの異常状態を検出する検出手段と、この検出手段の異常状態検出時に、電装品の駆動を停止させる駆動停止手段とを備えたことを特徴とするものである。
【００９２】
これによれば、検出手段で電装品またはマウスピース（マウスピース成形基材も含む。以下同様。）の異常状態を検出した時に、駆動停止手段で電装品の駆動を停止させる。これにより、マウスピースでは、スイッチをオンしても電装品が駆動しないので、使用者にマウスピースを使用できないことを知らしめることで、安全性が保証されるようになる。また、マウスピース成形基材では、マウスピースに成形する前に、不良品のマウスピース成形基材が予め分かるので、この不良品を取り除くことで、安全性が保証されるようになる。
【００９３】
また、前記検出手段は、前記電装品の異常電流値を検出するものである構成とすることができる。
【００９４】
これによれば、電装品の異常電流値は、電装品（機器）自体のショートの他（機器異常）、マウスピース（外殻）の亀裂等から浸入した水分（唾液等）で電装品がショートした場合に（外殻異常）、電流値が異常に変動（電流値が急激に上昇）することにより生じる。そこで、この異常電流値を検出手段で検出する。この検出手段としては、電流計（電流センサ）がある。その他、ヒューズも異常電流値を検出する検出手段であるが、異常電流値を検出したときに破断（溶断）して回路を遮断するので、電装品の駆動を停止させる駆動停止手段を兼用することになる。
【００９５】
さらに、前記検出手段は、前記電装品の異常電圧値を検出するものである構成とすることができる。
【００９６】
これによれば、電装品の異常電圧値は、電装品（機器）自体のショートの他（機器異常）、マウスピース（外殻）の亀裂等から浸入した水分（唾液等）で電装品がショートした場合に（外殻異常）、電圧値が異常に変動（電圧値が急激に下降）することにより生じる。また、マウスピースに内蔵したバッテリが過放電して、電圧値が異常に変動することにより生じる。そこで、この異常電圧値を検出手段で検出する。この検出手段としては、電圧計（電圧センサ）がある。
【００９７】
また、前記検出手段は、前記電装品を収納する収納空間の異常温度を検出するものである構成とすることができる。
【００９８】
これによれば、電装品の異常温度は、電装品（機器）自体のショート等による発熱の他（機器異常）、マウスピース（外殻）の亀裂等から浸入した水分（唾液等）で電装品がショート等で発熱した場合に（外殻異常）、温度が異常に変動することにより生じる。そこで、この異常温度を検出手段で検出する。この検出手段としては、例えば温度計（温度センサ）がある。その他、サーミスタ、熱電対、バイメタルがある。サーミスタと熱電対は、異常温度を検出すると出力電圧が変化し、この出力電圧の変化でスイッチング素子をオフすることで回路を遮断することができる。バイメタルは、異常温度を検出すると形状が変化し、この形状の変化でスイッチングオフすることで回路を遮断することができる。
【００９９】
さらに、前記検出手段は、前記電装品を収納する収納空間の異常水分若しくは異常湿度を検出するものである構成とすることができる。
【０１００】
これによれば、異常水分若しくは異常湿度は、マウスピース（外殻）の亀裂等から水分（唾液等）が浸入した場合に（外殻異常）、水分若しくは湿度が異常に変動することにより生じる。そこで、この異常水分若しくは異常湿度を検出手段で検出する。この検出手段としては、例えば水分計（水分センサ）若しくは湿度計（湿度センサ）がある。
【０１０１】
また、前記検出手段は、前記電装品を収納する収納空間の異常気圧を検出するものである構成とすることができる。
【０１０２】
これによれば、異常気圧は、マウスピース（外殻）の収納空間の気圧を予め高めておき、マウスピースの亀裂等から収納空間の気圧が抜けた場合に（外殻異常）、気圧が異常に変動することにより生じる。そこで、この異常気圧を検出手段で検出する。この検出手段としては、例えば気圧計（気圧センサ）がある。
【０１０３】
さらに、前記検出手段は、前記電装品を収納する収納空間の異常ガス濃度を検出するものである構成とすることができる。
【０１０４】
これによれば、異常ガス濃度は、マウスピース（外殻）の収納空間に予め不活性ガスを充填しておき、マウスピースの亀裂等から収納空間の不活性ガスが抜けた場合に（外殻異常）、ガス濃度が異常に変動することにより生じる。そこで、この異常ガス濃度を検出手段で検出する。この検出手段としては、例えばガス濃度計（ガス濃度センサ）がある。
【０１０５】
また、前記駆動停止手段は、検出手段の検出信号による回路遮断である構成とすることができる。
【０１０６】
これによれば、検出手段から検出信号は入ると、駆動停止手段で即時に回路を遮断することで電装品の駆動を停止させることができる。この駆動停止手段としては、例えばスイッチング素子（スイッチングトランジスタ）がある。なお、回路の遮断状態を保持する保持（ラッチ）回路を設けることが好ましい。
【０１０７】
さらに、前記駆動停止手段は、回路素子の形状変化による回路遮断である構成とすることができる。
【０１０８】
これによれば、形状変化する回路素子として、例えば異常温度を検出する検出手段としてのバイメタル（回路素子）は、異常温度を検出したときに反り返って（形状が変化して）回路を遮断する。また、異常水分若しくは異常湿度を検出する検出手段として、水分若しくは湿度に応じて伸縮する吸水性ゲルにスイッチを設置して、異常水分若しくは異常湿度を検出したときに膨潤して（形状が変化して）、スイッチが離れることで回路を遮断する。なお、回路の遮断状態を保持する保持機構若しくは保持（ラッチ）回路を設けることが好ましい。
【０１０９】
また、前記駆動停止手段は、回路素子の破損による回路遮断である構成とすることができる。
【０１１０】
これによれば、破損する回路素子として、例えば異常電流値を検出する検出手段としてのヒューズ（回路素子）は、異常電流値を検出したときに破断（溶断）して回路を遮断する。
【０１１１】
さらに、本発明に係る電装品内蔵の歯科治療用マウスピースを成形するための電装品内蔵のマウスピース成形基材は、前記電装品を内蔵する熱軟化性樹脂シート体を備え、この熱軟化性樹脂シート体を使用者の歯列に合わせて立体成形することで前記マウスピースに成形することを特徴とするものである。
【０１１２】
これによれば、歯科治療用マウスピース成形基材は、そのまま口腔内に入れるものではないが、完成品としてのマウスピースの形状に本成形する前の水没検査等の段階で、安全性を保証することができる。
【符号の説明】
【０１１３】
１        熱軟化性樹脂シート体
２（Ａ）〜（Ｄ）  歯科治療用マウスピース成形基材
５（Ａ），５（Ｂ）  電装品
６        フレキシブル基板
７（Ａ）  振動子
７（Ｂ）  発光素子
８        制御回路（制御素子）
９        電源用電池
１０      電源スイッチ
１２      マウスピース
１４      歯列
４０      検出手段
４０Ａ    電流計
４０Ｂ    ヒューズ
４０Ｃ    電圧計
４０Ｄ    温度計
４０Ｅ    水分計、湿度計
４０Ｆ    気圧計
４０Ｇ    ガス濃度計
４０Ｈ    吸水性ゲル
４０Ｉ    回路部分
４１      駆動停止手段
４１Ａ    スイッチング素子
４１Ｂ    スライドスイッチ
【図１】
2013034741.tif 000003
【図２】
2013034741.tif 000004
【図３】
2013034741.tif 000005
【図４】
2013034741.tif 000006
【図５】
2013034741.tif 000007
【図６】
2013034741.tif 000008
【図７】
2013034741.tif 000009
【図８】
2013034741.tif 000010
【図９】
2013034741.tif 000011
【図１０】
2013034741.tif 000012
【図１１】
2013034741.tif 000013
【図１２】
2013034741.tif 000014